(57)【特許請求の範囲】
【請求項１】
弁ハウジングにステッピングモータの円筒状のステータユニットが周方向に位置決め固定され、前記ステッピングモータのロータの回転によって弁体が駆動されて弁開度を変化する電動コントロールバルブにおいて、
前記弁ハウジングと位置決め係合する位置決め係合部を有する位置決め固定金具が、前記ステータユニットの端面に、当該ステータユニットの周方向に分割位置決め変更可能に取り付けられ、前記分割位置決めの分割角度がステータユニットの磁極歯の間隔に合致し、
位置決め固定金具は前記ステータユニットの端面に整合する円環板状部を有し、前記円環板状部より前記位置決め係合部が折曲形成され、前記円環板状部の外周部には周方向に所定間隔をおいて複数個の凹凸部が形成され、前記ステータユニットの端面には前記凹凸部と係合する位置決め用凹凸部が形成され、前記円環板状部が前記ステータユニットの端面に形成された係合部に抜き差し可能に係合し、前記円環板状部の前記凹凸部が前記ステータユニットの位置決め用凹凸部に係合することにより、前記位置決め固定金具が、前記ステータユニットの端面に、当該ステータユニットの周方向に分割位置決め変更可能に取り付けられる
ことを特徴とする電動コントロールバルブ。
【請求項２】
前記円環板状部の各凹凸部毎に固有の番号、記号が付記されていることを特徴とする請求項１に記載の電動コントロールバルブ。
【請求項３】
前記ステータユニットは外周部の一カ所に内蔵コイルのリード線接続用のコネクタを有していることを特徴とする請求項１又は２に記載の電動コントロールバルブ。
【発明の詳細な説明】
【０００１】
【発明の属する技術分野】
この発明は、電動コントロールバルブに関し、特に、冷凍サイクル装置の回転式電動膨張弁等として使用されるように電動コントロールバルブに関するものである。
【０００２】
【従来の技術】
冷凍サイクル装置の回転式電動膨張弁等として使用される電動コントロールバルブとして、特開平８−３１２８２３号公報に示されているように、弁ハウジングにモータ（ステッピングモータ）の円筒状のステータユニットが周方向に位置決め固定され、前記モータのロータの回転によって弁体が駆動されて弁開度を変化するものが知られている。
【０００３】
従来の電動コントロールバルブでは、ステータユニットに位置決め片がステータユニットの磁極歯の周方向位置に合わせて一体に設けられ、位置決め片が弁ハウジングに固定された位置決めピン等と係合することにより、ステータユニットが弁ハウジングに対して周方向に画一的に位置決め固定される。
【０００４】
【発明が解決しようとする課題】
ステータユニットには内蔵しているコイルのリード線の引き出しが一カ所にあり、上述のように、ステータユニットが弁ハウジングに対して周方向に画一的に位置決め固定されると、それに伴いステータユニットよりのコイルのリード線の引き出し位置（ステータユニットの周方向位置）が弁ハウジングに対して自ずと一つの位置に決まることになる。このため、電動コントロールバルブの接続配管の取り廻しに対してのリード線の引き出し位置の自由度がなく、また、電気配線に対してもリード線の引き出し位置の自由度がなく、電動コントロールバルブの配置位置、接続配管の取り廻しに制約を与え、電気配線の取り廻しを複雑なものにすることがある。
【０００５】
特に、ステータユニットにコイル通電用のリード線接続用のコネクタが設けられる場合には、接続配管の取り廻し上、コネクタの抜き差しが、他のものと干渉せず、作業性よく行える周方向位置に、コネクタを配置できないことがある。
【０００６】
この発明は、上述の如き問題点を解消するためになされたもので、ステータユニットよりのコイルのリード線の弁ハウジングに対する引き出し位置を変更でき、電動コントロールバルブの接続配管の取り廻しや電気配線に対してのリード線の引き出し位置の自由度が高く、リード線接続用のコネクタの抜き差しが他のものと干渉せずに作業性よく行える周方向位置にコネクタを配置できる電動コントロールバルブを提供することを目的としている。
【０００７】
【課題を解決するための手段】
上述の目的を達成するために、請求項１記載の発明による電動コントロールバルブは、弁ハウジングにステッピングモータの円筒状のステータユニットが周方向に位置決め固定され、前記ステッピングモータのロータの回転によって弁体が駆動されて弁開度を変化する電動コントロールバルブにおいて、前記弁ハウジングと位置決め係合する位置決め係合部を有する位置決め固定金具が、前記ステータユニットの端面に、当該ステータユニットの周方向に分割位置決め変更可能に取り付けられ、前記分割位置決めの分割角度がステータユニットの磁極歯の間隔に合致し、位置決め固定金具は前記ステータユニットの端面に整合する円環板状部を有し、前記円環板状部より前記位置決め係合部が折曲形成され、前記円環板状部の外周部には周方向に所定間隔をおいて複数個の凹凸部が形成され、前記ステータユニットの端面には前記凹凸部と係合する位置決め用凹凸部が形成され、前記円環板状部が前記ステータユニットの端面に形成された係合部に抜き差し可能に係合し、前記円環板状部の前記凹凸部が前記ステータユニットの位置決め用凹凸部に係合することにより、前記位置決め固定金具が、前記ステータユニットの端面に、当該ステータユニットの周方向に分割位置決め変更可能に取り付けられるものである。
【０００９】
請求項２記載の発明による電動コントロールバルブは、さらに、前記円環板状部の各凹凸部毎に固有の番号、記号が付記されているものである。
【００１０】
請求項３記載の発明による電動コントロールバルブは、前記ステータユニットは外周部の一カ所に内蔵コイルのリード線接続用のコネクタを有しているものである。
【００１１】
請求項１記載の発明による電動コントロールバルブでは、ステータユニットを弁ハウジングに対して位置決めするための位置決め固定金具のステータユニットに対する取付位置を、ステータユニットの周方向に分割角度毎に変更でき、この取付位置の変更によってステータユニットの弁ハウジングに対する取付位置をステータユニットの周方向に分割角度毎に変更できる。また、分割角度がステータユニットの磁極歯の間隔に合致していることにより、ステータユニットの弁ハウジングに対する取付位置がステータユニットの周方向に分割角度毎に変更されても、ステッピングモータの励磁特性が変動することはない。
【００１２】
また、位置決め固定金具の円環板状部がステータユニットの端面に形成された係合部に抜き差し可能に係合し、円環板状部の凹凸部がステータユニットの位置決め用凹凸部に係合することにより、位置決め固定金具がステータユニットの端面に、当該ステータユニットの周方向に分割位置決め変更可能に取り付けられる。
【００１３】
請求項２記載の発明による電動コントロールバルブでは、円環板状部の各凹凸部毎に固有の番号、記号が付記され、この番号、記号を参照しながら、位置決め固定金具のステータユニットに対する取付位置を決定できる。
【００１４】
請求項３記載の発明による電動コントロールバルブでは、ステータユニットの弁ハウジングに対する取付位置がステータユニットの周方向に分割角度毎に変更されることで、ステータユニットの外周部のリード線接続用のコネクタの周方向位置を変更できる。
【００１５】
【発明の実施の形態】
以下に添付の図を参照してこの発明の実施の形態を詳細に説明する。
図１〜図５はこの発明による電動コントロールバルブの一つの実施の形態を示している。電動コントロールバルブは金属製の弁ハウジング１を有し、弁ハウジング１には、有底孔状の弁室２と、入口ポート３と、出口ポート４とが形成されている。
【００１６】
弁ハウジング１の上部にはストッパ突起片５ａ付きの円環状の取付座金５がろう付け部６により気密にろう付け固定されている。取付座金５上には、キャップ状のロータケース７が、取付座金５とロータケース７の外鍔状のフランジ７ａとによるフランジ結合部の溶接により、気密に固着している。
【００１７】
ロータケース７内にはステッピングモータ８のロータ９が回転可能に配置され、ロータケース７の外側に円筒状のステータユニット（コイル組立体）１０が嵌合している。ステータユニット１０は、内蔵コイル（巻線部）１１と、コイルカバー１２と、導通接続用のコネクタ１３とにより構成されている。コイルカバー１２は、円筒状の内蔵コイル１１の外側を包んでおり、内周面に複数個の磁極歯１２ａを周方向に等間隔をおいて櫛歯状に有している。コネクタ１３は、内蔵コイル１１のリード線接続用のコネクタであり、コイルカバー１２の外周部の一カ所より外方へ突出した形態で設けられている。
【００１８】
ステータユニット１０の端面、すなわちコイルカバー１２の下端面には、ステータユニット１０の弁ハウジングに対する周方向の位置決めを行うための位置決め固定金具１４がステータユニット１０の周方向に分割位置決め変更可能に取り付けられている。
【００１９】
つぎに、位置決め固定金具１４の取付構造を詳細に説明する。位置決め固定金具１４は、プレス成形品であり、図３、図４によく示されているように、コイルカバー１２の下端面に整合する円環板状部１４ａと、円環板状部より折曲形成された係止爪（位置決め係合部）１４ｂと、係止爪１４ｂとは反対の位置にて円環板状部１４ａより折曲形成された係合爪１４ｃとを有し、円環板状部１４ａの外周部に、周方向に所定間隔をおいて分割位置決め用の複数個の凹部１４ｄを形成されている。
【００２０】
凹部１４ｄはステータユニット１０の磁極歯１２ａの間隔に合わせて等間隔に設けられており、分割位置決めの分割角度がステータユニット１０の磁極歯１２ａの間隔に合致したものになっている。また、円環板状部１４ａには各凹部１４ｄ毎に固有の番号１、２、３…が刻印されている。なお、これは、Ａ、Ｂ、Ｃ…のような文字、その他の記号であってもよい。
【００２１】
コイルカバー１２の下端面には、位置決め固定金具１４の円環板状部１４ａをコイルカバー１２の下端面に接合する形態で抜き差し可能に受け入れる鈎形断面形状の一対の係合片１２ｂが切り起こし形成されていると共に、抜き差し方向奥側に、凹部１４ｄの一つと係合する位置決め用凸片１２ｃが切り起こし形成形成されている。また、コイルカバー１２の下端面には、抜き差し方向手前側に抜け止め用小突起片１２ｄが切り起こし形成されている。
【００２２】
位置決め固定金具１４は、円環板状部１４ａを一対の係合片１２ｂ間に差し込まれ、この差し込みにより、任意の一つの凹部１４ｄがステータユニット１０の位置決め用凸片１２ｃに係合し、円環板状部１４ａの外縁が抜け止め用小突起片１２ｄを乗り越えることにより、ステータユニット１０の端面に分割位置決め固定される。
【００２３】
位置決め固定金具１４の係止爪１４ｂが弁ハウジング１に固定されている位置決めピン１５に係合し、位置決め固定金具１４の係合爪１４ｃが取付座金５の外周端面に押し付けられることにより、ステータユニット１０は、がた付きを抑制された状態で、弁ハウジング１とロータケース７との結合体に位置決め固定される。
【００２４】
ロータ９は、中央孔９ａを有する円筒状をなしており、磁性粉を混練されて着磁した樹脂成形品で構成されている。ロータ９の中央孔９ａには、ロータ９とはとは別の単品として成形されたＰＰＳ樹脂等による樹脂成形品による弁体１６の頭部１６ａが挿入されている。
【００２５】
ロータ９にはストッパ片９ｂが一体成形されており、ストッパ片９ｂが取付座金５に折曲形成されたストッパ突起片５ａと当接することにより、ロータ９の回転範囲が定められている。
【００２６】
弁体１５は、弁ハウジング１の弁室２に回転可能に嵌合しており、入口ポート３および出口ポート４に対向する外周面部に、図５に示されているように、偏心外周面による計量周面１６ｃと、全開用溝１６ｄとを形成され、回転することにより、入口ポート３と出口ポート４との連通・遮断および弁開度（連通度）を変化する。
【００２７】
弁体１５には金属製の心軸１７がインサート成形され、心軸１７は弁室２に底部に配置された軸受ブッシュ１８に係合している。
【００２８】
上述の構成による電動コントロールバルブによれば、位置決め固定金具１４の円環板状部１４ａがコイルカバー１２の下端面に形成された鈎形断面形状の一対の係合片１２ｂ間に抜き差し可能に係合し、円環板状部１４ａの任意の一つの凹部１４ｄがステータユニット１０の位置決め用凸片１２ｃに係合することにより、位置決め固定金具１４がステータユニット１０の端面に、これの周方向に分割位置決め変更可能に取り付けられる。
【００２９】
これにより、ステータユニット１０を弁ハウジング１に対して位置決めするための位置決め固定金具１４のステータユニット１０に対する取付位置を、ステータユニット１０の周方向に分割角度毎に変更でき、この取付位置の変更によってステータユニット１０の弁ハウジング１に対する取付位置をステータユニット１０の周方向に分割角度毎に変更できる。
【００３０】
この変更により、ステータユニット１０の外周部の接続コネクタ１３の周方向位置を分割角度毎に変更でき、電動コントロールバルブの接続配管の取り廻しや電気配線に対してのリード線の引き出し位置（コネクタ１３の位置）の自由度が高くなり、コネクタ１３の抜き差しが他のものと干渉せずに作業性よく行える周方向位置にコネクタ１３を配置できる。
【００３１】
また、円環板状部１４ａの各凹部１４ｄ毎に固有の番号１、２、３…が付記され、この番号を参照しながら、位置決め固定金具１４のステータユニット１０に対する取付位置を、間違いをおこすことなく、作業性よく決定できる。
【００３２】
なお、分割角度がステータユニット１０の磁極歯１２ａの間隔に応じて定められているから、ステータユニット１０の弁ハウジング１に対する取付位置がステータユニット１０の周方向に分割角度毎に変更されても、ステッピングモータの励磁特性が変動することはない。
【００３３】
【発明の効果】
以上の説明から理解される如く、請求項１記載の発明による電動コントロールバルブによれば、ステータユニットを弁ハウジングに対して位置決めするための位置決め固定金具のステータユニットに対する取付位置を、ステータユニットの周方向にステータユニットの磁極歯の間隔に合致している分割角度毎に変更でき、この取付位置の変更によってステータユニットの弁ハウジングに対する取付位置をステータユニットの周方向に分割角度毎に変更でき、この変更によってステッピングモータの励磁特性が変動することなく、電動コントロールバルブの接続配管の取り廻しや電気配線に対してのリード線の引き出し位置の自由度が高くなる。
【００３４】
また、位置決め固定金具の円環板状部がステータユニットの端面に形成された係合部に抜き差し可能に係合し、円環板状部の凹凸部がステータユニットの位置決め用凹凸部に係合することにより、位置決め固定金具がステータユニットの端面に、当該ステータユニットの周方向に分割位置決め変更可能に取り付けられ、ステータユニットの弁ハウジングに対する取付位置をステータユニットの周方向に分割角度毎に変更でき、この変更によって電動コントロールバルブの接続配管の取り廻しや電気配線に対してのリード線の引き出し位置の自由度が高くなる。
【００３５】
請求項２記載の発明による電動コントロールバルブによれば、円環板状部の各凹凸部毎に固有の番号、記号が付記され、この番号、記号を参照しながら、位置決め固定金具のステータユニットに対する取付位置を、間違いをおこすことなく決定できる。
【００３６】
請求項３記載の発明による電動コントロールバルブによれば、ステータユニットの弁ハウジングに対する取付位置がステータユニットの周方向に分割角度毎に変更されることで、ステータユニットの外周部のリード線接続用のコネクタの周方向位置を変更でき、コネクタの抜き差しが他のものと干渉せずに作業性よく行える周方向位置にコネクタを配置できる。
【図面の簡単な説明】
【図１】この発明による電動コントロールバルブの一つの実施の形態を示す縦断面図である。
【図２】この発明による電動コントロールバルブの一つの実施の形態を示す外観図である。
【図３】この発明による電動コントロールバルブのステータユニットと位置決め固定金具を示す分解斜視図である。
【図４】この発明による電動コントロールバルブのステータユニットと位置決め固定金具の組立状態を示す斜視図である。
【図５】この発明による電動コントロールバルブの弁部の平断面図である。
【符号の説明】
１  弁ハウジング
２  弁室
３  入口ポート
４  出口ポート
５  取付座金
７  ロータケース
８  ステッピングモータ
９  ロータ
１０  ステータユニット
１１  内蔵コイル
１２  コイルカバー
１２ａ  磁極歯
１２ｂ  係合片
１２ｃ  位置決め用凸片
１２ｄ  抜け止め用小突起片
１３  コネクタ
１４  位置決め固定金具
１４ａ  円環板状部
１４ｂ  係止爪
１４ｃ  係合爪
１４ｄ  凹部
１６  弁体
【図１】
0004142212.tif 000002
【図２】
0004142212.tif 000003
【図３】
0004142212.tif 000004
【図４】
0004142212.tif 000005
【図５】
0004142212.tif 000006